(57)【要約】【課題】光配向膜に対して所定の光配向方向に光配向機能を付与しつつ、光源からの光を均一に照射する。【解決手段】  光配向膜を移動させながら特定の波長領域の光を照射することにより光配向膜に配向処理を施すための偏光光照射装置であって、複数の光源を有する第一の光源列、および、第一の光源列に連結して設けられ、複数の光源を有する第二の光源列を具える光照射部と、光照射部を、光配向膜の表面に平行な面上で、光配向膜に対して相対的に基準位置から所定の角度で回転させる回転部と、第一の光源列の光源からの光と第二の光源列の光源からの光とが、光配向膜に対して均一に照射されるよう、第一の光源列に対する第二の光源列の位置を調整する調整部とを備える。【選択図】図４
2015106015.tif 000002
【特許請求の範囲】
【請求項１】
光配向膜を移動させながら特定の波長領域の光を照射することにより前記光配向膜に配向処理を施すための偏光光照射装置であって、
複数の光源を有する第一の光源列、および、前記第一の光源列に連結して設けられ、複数の光源を有する第二の光源列を具える光照射部と、
前記光照射部を、前記光配向膜の表面に平行な面上で、前記光配向膜に対して相対的に基準位置から所定の角度で回転させる回転部と、
前記第一の光源列の光源からの光と前記第二の光源列の光源からの光とが、前記光配向膜に対して均一に照射されるよう、前記第一の光源列に対する前記第二の光源列の位置を調整する調整部と
を備える偏光光照射装置。
【請求項２】
前記調整部は、前記第一の光源列の複数の光源および前記第二の光源列の複数の光源を、前記基準位置を通り前記光配向膜の表面に直交する面に投影した場合における前記複数の光源の隣り合う光源間の間隔が等しくなるよう、前記第二の光源列の位置を調整することを特徴とする請求項１に記載の偏光光照射装置。
【請求項３】
前記第一の光源列および前記第二の光源列は、さらに、前記光源からの光のうち、特定の波長の光を透過するフィルタ、および、該フィルタを透過した光を偏光させる偏光材を有し、
前記光照射部は、前記偏光材によって偏光された光を、前記光配向膜に照射することを特徴とする請求項１または２に記載の偏光光照射装置。
【請求項４】
前記第一の光源列および前記第二の光源列は、互いにスライド可能に連結されることを特徴とする請求項１〜３のいずれか一項に記載の偏光光照射装置。
【請求項５】
前記回転部は、前記光照射部を、前記光配向膜の表面の垂直方向を回転軸として回転させ、
前記調整部は、前記第二の光源列を、該第二の光源列の長手方向を移動軸として移動させ、前記第一の光源列に対する前記第二の光源列の位置を調整することを特徴とする請求項１〜４のいずれか一項に記載の偏光光照射装置。
【請求項６】
前記回転部は、前記光照射部を、前記第一の光源列の長手方向および短手方向を移動軸として移動させることで回転させ、
前記調整部は、前記第二の光源列を、該第二の光源列の長手方向を移動軸として移動させ、前記第一の光源列に対する前記第二の光源列の位置を調整することを特徴とする請求項１〜４のいずれか一項に記載の偏光光照射装置。
【請求項７】
前記回転部は、前記第一の光源列を、前記光配向膜の表面の垂直方向を回転軸として回転させ、
前記調整部は、前記第二の光源列を、該第二の光源列を長手方向の両端で担持する担持部材により移動させ、前記第一の光源列に対する前記第二の光源列の位置を調整することを特徴とする請求項１〜４のいずれか一項に記載の偏光光照射装置。
【請求項８】
前記担持部材は、偏芯部材であることを特徴とする請求項７に記載の偏光光照射装置。
【請求項９】
前記担持部材は、カム部材であることを特徴とする請求項７に記載の偏光光照射装置。
【請求項１０】
前記担持部材は、バネ部材であることを特徴とする請求項７に記載の偏光光照射装置。
【請求項１１】
光配向膜を移動させながら特定の波長領域の光を照射することにより前記光配向膜に配向処理を施すための偏光光照射方法であって、
複数の光源を有する第一の光源列、および、前記第一の光源列に連結して設けられ、複数の光源を有する第二の光源列を具える光照射ステップと、
前記第一の光源列および前記第二の光源列を、前記光配向膜の表面に平行な面上で、前記光配向膜に対して相対的に基準位置から所定の角度で回転させる回転ステップと、
前記第一の光源列の光源からの光と前記第二の光源列の光源からの光とが、前記光配向膜に対して均一に照射されるよう、前記第一の光源列に対する前記第二の光源列の位置を調整する調整ステップと
を備える偏光光照射方法。
【請求項１２】
光配向膜を移動させながら特定の波長領域の光を照射することにより前記光配向膜に配向処理を施すための偏光光照射プログラムであって、コンピュータに、
複数の光源を有する第一の光源列および第二の光源列を、前記光配向膜の表面に平行な面上で、前記光配向膜に対して相対的に基準位置から所定の角度で回転させる回転機能と、
前記第一の光源列の光源からの光と前記第二の光源列の光源からの光とが、前記光配向膜に対して均一に照射されるよう、前記第一の光源列に対する前記第二の光源列の位置を調整する調整機能と
を実現させる偏光光照射プログラム。
【発明の詳細な説明】
【技術分野】
【０００１】
本発明は、偏光光照射装置、偏光光照射方法および偏光光照射プログラムに関するものであり、特に光配向膜に配向処理を施す偏光光照射装置、偏光光照射方法および偏光光照射プログラムに関するものである。
【背景技術】
【０００２】
液晶ディスプレイ等に用いられる液晶表示用の基板には、光配向膜と呼ばれる高分子膜が塗布される。光配向膜とは液晶の分子を一定方向に並べるための膜である。この液晶の分子が規則正しく配列した状態になることで、コントラストが生じ、映像を表示させることができる。そのため、光配向膜に、所定の光配向方向に光配向機能を付与するため、紫外領域の偏光光を照射する必要がある。
【０００３】
例えば、特許文献１には、線状の光源からの光をワイヤーグリッド偏光素子により偏光して出射する光照射部を備え、光配向膜の搬送方向に対し斜め方向の配向を生じさせる際には、偏光光を出射する光照射部を、ワイヤーグリッド偏光素子ごと、所望の配向方向に応じて回転させる技術が開示されている。
【０００４】
一方で、液晶ディスプレイの大型化に伴い、大型化した光配向膜の製造には、偏光板および／または光源を複数用いて偏光光を照射する製造方法が用いられている。しなしながら、偏光板および光源を隙間なく配置することは困難である為、偏光光の照射ムラが生じることとなる。このような問題に対して、光配向膜の製造方法に関する技術が特許文献２および３に提案されている。
【０００５】
特許文献２には、光配向膜の搬送方向に沿って光照射部を多段に配置する技術が開示されている。特許文献２では、各段の光照射部の偏光素子間の境界部が、他の段の光照射部の偏光素子の境界部と光配向膜の搬送方向に対して互い重ならないように、各段に配置された各光照射部を、光配向膜の搬送方向に直交する方向に位置をずらして配置する光配向用偏光光照射装置について開示されている。
【０００６】
また、特許文献３には、隣接方向に隣接して配置された複数の偏光子を備え、偏光子の隣接面及び偏光子の隣接方向が走査方向に対して傾斜している技術が開示されている。
【０００７】
しかしながら、特許文献２記載の技術では、光配向膜に生じさせる配向方向を変更する場合、光照射部を光配向膜の搬送方向に対して傾斜する必要がある。特許文献２記載の技術では、光照射部を傾斜した際に、基準位置を通り光配向膜の表面に直交する面に投影した場合における複数の光源の隣り合う光源間の間隔が均一とならないため、各光源からの光が均一に光配向膜へ照射されず、照射ムラが発生する。
【０００８】
また、特許文献３記載の技術では、隣接して配置された複数の偏光子を回転させることにより、光配向膜の照射ムラの抑制および光配向膜に生じさせる配向方向の変更の２つの機能を実現している。その為、特許文献３記載の技術では、照射ムラの抑制および光配向膜に生じさせる配向方向の変更のそれぞれに最適となる回転角が異なる場合、各機能の効果が不十分となる恐れがある。
【先行技術文献】
【特許文献】
【０００９】
【特許文献１】特開２００６‐１３３４９８号公報
【特許文献２】特開２００７‐１１４６４７号公報
【特許文献３】特許５１３１８８６号公報
【発明の概要】
【発明が解決しようとする課題】
【００１０】
上記事情に鑑み、本発明は、光配向膜に対して所定の光配向方向に光配向機能を付与しつつ、光源からの光を均一に照射することを目的とするものである。
【課題を解決するための手段】
【００１１】
本発明の偏光光照射装置は、光配向膜を移動させながら特定の波長領域の光を照射することにより光配向膜に配向処理を施すための偏光光照射装置であって、複数の光源を有する第一の光源列、および、第一の光源列に連結して設けられ、複数の光源を有する第二の光源列を具える光照射部と、光照射部を、光配向膜の表面に平行な面上で、光配向膜に対して相対的に基準位置から所定の角度で回転させる回転部と、第一の光源列の光源からの光と第二の光源列の光源からの光とが、光配向膜に対して均一に照射されるよう、第一の光源列に対する第二の光源列の位置を調整する調整部とを備える。
【００１２】
上記調整部は、第一の光源列の複数の光源および第二の光源列の複数の光源を、基準位置を通り光配向膜の表面に直交する面に投影した場合における複数の光源の隣り合う光源間の間隔が等しくなるよう、第二の光源列の位置を調整することができる。
【００１３】
上記第一の光源列および第二の光源列は、さらに、光源からの光のうち、特定の波長の光を透過するフィルタ、および、フィルタを透過した光を偏光させる偏光材を有し、光照射部は、偏光材によって偏光された光を、光配向膜に照射することができる。
【００１４】
上記第一の光源列および第二の光源列は、互いにスライド可能に連結されることができる。
【００１５】
上記回転部は、光照射部を、光配向膜の表面の垂直方向を回転軸として回転させ、調整部は、第二の光源列を、第二の光源列の長手方向を移動軸として移動させ、第一の光源列に対する第二の光源列の位置を調整することができる。
【００１６】
回転部は、光照射部を、第一の光源列の長手方向および短手方向を移動軸として移動させることで回転させ、調整部は、第二の光源列を、第二の光源列の長手方向を移動軸として移動させ、第一の光源列に対する第二の光源列の位置を調整することができる。
【００１７】
回転部は、第一の光源列を、光配向膜の表面の垂直方向を回転軸として回転させ、調整部は、第二の光源列を、第二の光源列を長手方向の両端で担持する担持部材により移動させ、第一の光源列に対する第二の光源列の位置を調整することができる。
【００１８】
担持部材は、偏芯部材、カム部材またはバネ部材とすることができる。
【００１９】
本発明の偏光光照射方法は、光配向膜を移動させながら特定の波長領域の光を照射することにより光配向膜に配向処理を施すための偏光光照射方法であって、複数の光源を有する第一の光源列、および、第一の光源列に連結して設けられ、複数の光源を有する第二の光源列を具える光照射ステップと、第一の光源列および第二の光源列を、光配向膜の表面に平行な面上で、光配向膜に対して相対的に基準位置から所定の角度で回転させる回転ステップと、第一の光源列の光源からの光と第二の光源列の光源からの光とが、光配向膜に対して均一に照射されるよう、第一の光源列に対する第二の光源列の位置を調整する調整ステップとを備えることを特徴とする。
【００２０】
本発明の偏光光照射プログラムは、光配向膜を移動させながら特定の波長領域の光を照射することにより光配向膜に配向処理を施すための偏光光照射プログラムであって、コンピュータに、複数の光源を有する第一の光源列および第二の光源列を、光配向膜の表面に平行な面上で、光配向膜に対して相対的に基準位置から所定の角度で回転させる回転機能と、第一の光源列の光源からの光と第二の光源列の光源からの光とが、光配向膜に対して均一に照射されるよう、第一の光源列に対する第二の光源列の位置を調整する調整機能とを実現させることを特徴とする。
【発明の効果】
【００２１】
本発明の偏光光照射装置によれば、光配向膜に対して所定の光配向方向に光配向機能を付与しつつ、光源からの光を均一に照射することができる。
【図面の簡単な説明】
【００２２】
【図１】本発明の第１の実施形態に係る偏光光照射装置を説明するための模式図を示す
【図２】本発明の第１の実施形態に係る偏光光照射装置における第一の光源列および第２の光源列の模式図を示す
【図３】本発明の第１の実施形態に係る偏光光照射装置における調整部の調整を説明する為の図を示す
【図４】本発明の第１の実施形態に係る偏光光照射装置における調整部の調整を説明する為の図を示す
【図５】本発明の第１の実施形態に係る偏光光照射装置における光照射部の模式図を示す
【図６】本発明の第２の実施形態に係る偏光光照射装置の調整部の調整を説明する為の図を示す
【図７】本発明の第３の実施形態に係る偏光光照射装置の第一の光源列および第２の光源列の模式図を示す
【図８】本発明の第３の実施形態に係る偏光光照射装置における調整部の調整を説明する為の図を示す
【図９】従来の実施形態における偏光光照射装置の照度分布を説明する為のグラフを示す
【図１０】本発明の実施形態における偏光光照射装置の照度分布を説明する為のグラフを示す
【発明を実施するための形態】
【００２３】
［第１の実施形態］
本発明に係る偏光光照射装置の第１の実施形態を、図１乃至図５を用いて説明する。
【００２４】
図１（ａ）に示すように、本発明の偏光光照射装置は、光配向膜４０を移動させながら特定の波長領域の光を照射することにより光配向膜４０に配向処理を施すための偏光光照射装置であって、光照射部１０と、回転部２０と、調整部３０とを備える。
【００２５】
上記光配向膜４０は、液晶分子群を一定方向に配列させるための膜で、例えばポリイミド膜等とすることができる。また、光配向膜４０は、例えば、液晶用の基板等に塗布されたものであってよい。図１（ｃ）に示すように、基板は、例えばコンベア、ローラー、ピン、テーブルなどの接触式ステージや非接触式の浮上搬送ステージによって光照射部１０の照射範囲に移動することができる。
【００２６】
図２に示すように、上記光照射部１０は、複数の光源１１ａを有する第一の光源列１６、および、第一の光源列１６に連結して設けられ、複数の光源１１ｂを有する第二の光源列１７を具える。なお、図では紙面の下段を第一の光源列１６としたが、上段を第一の光源列１６とすることもできる。
【００２７】
上記光源１１ａ，ｂは、光配向膜４０に光線を照射するもので、例えば、棒状ランプとすることができる。具体的には、棒状ランプは、高圧水銀ランプやメタルハライドランプ等とすることができる。また、光源１１ａ，ｂは、発光ダイオードまたは発光ダイオードを直線状に並べて配置し線状光源としたもの等であってもよい。
【００２８】
図１（ｂ）に示すように、上記回転部２０は、光照射部１０を、光配向膜４０の表面に平行な面上で、光配向膜４０に対して相対的に基準位置Ｓから所定の角度で回転方向Ｂに回転させる。回転部２０は、基準位置Ｓからの角度を手動もしくはモーターなどによる駆動で自動に回転することができる。所定の角度は、製品に応じた偏光特性を実現するための角度とすることができる。所定の角度は、例えば、７°または１０°等とすることができる。
【００２９】
図１（ｂ）および図３に示すように、上記調整部３０は、第一の光源列１６の光源１１ａからの光と第二の光源列１７の光源１１ｂからの光とが、光配向膜４０に対して均一に照射されるよう、第一の光源列１６に対する第二の光源列１７の位置を調整する。調整部３０は、手動もしくはモーターなどによる駆動により自動で第二の光源列１７の位置を第二の光源列１７の長手方向Ｘ２に調整することができる。
【００３０】
以上、説明した本発明の偏光光照射装置によれば、光配向膜４０に対して所定の光配向方向に光配向機能を付与しつつ、光源１１ａ，ｂからの光を均一に照射することができる。
【００３１】
図１（ｂ）および図４に示すように、上記調整部３０は、第一の光源列１６の複数の光源１１ａおよび第二の光源列１７の複数の光源１１ｂを、基準位置Ｓを通り光配向膜４０の表面に直交する面に投影した場合における複数の光源１１の隣り合う光源１１間の間隔（以下、「投影光源間隔Ｄ」と記載する。）が等しくなるよう、第二の光源列１７の位置を調整することができる。
【００３２】
図５に示すように、上記第一の光源列１６および第二の光源列１７は、さらに、フィルタ１２、および、偏光材１３を有し、光照射部１０は、偏光材１３によって偏光された光を、光配向膜４０に照射することができる。第一の光源列１６および第二の光源列１７は、さらに、偏光材１３と光配向膜４０の間に保護ガラス１４を備えてもよい。
【００３３】
上記フィルタ１２は、光源１１ａ，ｂからの光のうち、特定の波長の光を透過することができる。フィルタ１２は、特定波長以外の光が偏光材１３に入射することを防いでいる。
【００３４】
上記偏光材１３は、フィルタ１２を透過した光を偏光させることができる。偏光材１３は、偏光子の一種で、薄い板状のものとすることができる。具体的には、偏光材１３は、Ｐ偏光を透過しＳ偏光を反射する薄膜をつけたプリズムである偏光ビームスプリッター（ＰＢＳ：Ｐｏｌａｒｉｚｅｄ  Ｂｅａｍ  Ｓｐｌｉｔｔｅｒ）や、ガラス若しくは石英ガラスよりなる矩形の透明基板の一面に、例えばアルミニウムや銀などの金属材料よりなる多数の金属細線が当該透明基板の一つの平面上に平行に一定の間隔で設けられたワイヤーグリッド（ＷＧ：Ｗｉｒｅ Ｇｒｉｄ）等とすることができる。偏光材１３は、ワイヤーグリッドの場合、光源１１ａ，ｂから入射する光のうち、ワイヤーグリッドの並び方向に直角な方向の直線偏光を透過させることができる。
【００３５】
上記保護ガラス１４は、偏光材１３の損傷および微細な粉塵等の付着を防止することができる。粉塵等の付着が発生した場合に、保護ガラス１４は、クリーニングされることができる。
【００３６】
上記第一の光源列１６および第二の光源列１７は、互いにスライド可能に連結されることができる。
【００３７】
図１（ｂ）および図４に示すように、第１の実施形態では、回転部２０は、光照射部１０を、光配向膜４０の表面の垂直方向を回転軸として回転させ、調整部３０は、第二の光源列１７を、第二の光源列１７の長手方向Ｘ２を移動軸として移動させ、第一の光源列１６に対する第二の光源列１７の位置を調整することができる。
【００３８】
上記光照射部１０は、図２（ａ）に示すように、回転部２０による光照射部１０の回転角が０である際、投影光源間隔Ｄが等しくなるように第一の光源列１６および第二の光源列１７を配置することができる。
【００３９】
上記調整部３０は、図１（ｂ）および図２（ｂ）に示すように、光照射部１０が回転角θによって回転し、投影光源間隔Ｄが等間隔でなくなった場合、投影光源間隔Ｄを等間隔に戻す方向に第二の光源列１７を移動する。具体的には、図４（ａ）および図４（ｂ）のように、投影光源間隔Ｄを等間隔に戻す方向へ、第二の光源列１７を長手方向Ｘ２に補正距離ｄｃだけ移動する。ここで、回転角が０である際の投影光源間隔Ｄをｘ／２、第一の光源列１６の光源１１ａの並ぶ列と第二の光源列１７の光源１１ｂの並ぶ列との距離をｄとすると、補正距離ｄｃは、式（１）のように導出することができる。
2015106015.tif 000003
【００４０】
本発明において、光照射部１０は、第一の光源列１６および第二の光源列１７を備える場合が示されているが、さらに、３列以上の光源列を備える構成としてもよい。
【００４１】
［第２の実施形態］
本発明に係る偏光光照射装置の第２の実施形態を、図６を用いて説明する。
【００４２】
第２の実施形態は、光配向膜４０を移動させながら特定の波長領域の光を照射することにより光配向膜４０に配向処理を施すための偏光光照射装置であって、光照射部１０と、回転部２０と、調整部３０とを備える。
【００４３】
上記光配向膜４０は、液晶分子群を一定方向に配列させるための膜で、例えばポリイミド膜等とすることができる。また、光配向膜４０は、例えば、液晶用の基板等に塗布されたものであってよい。基板は、例えばコンベア、ローラー、ピン、テーブルなどの接触式ステージや非接触式の浮上搬送ステージによって光照射部１０の照射範囲に移動することができる。
【００４４】
上記光照射部１０は、複数の光源１１ａを有する第一の光源列１６、および、第一の光源列１６に連結して設けられ、複数の光源１１ｂを有する第二の光源列１７を具える。
【００４５】
上記光源１１ａ，ｂは、光配向膜４０に光線を照射するもので、例えば、棒状ランプとすることができる。具体的には、棒状ランプは、高圧水銀ランプやメタルハライドランプ等とすることができる。また、光源１１ａ，ｂは、発光ダイオードまたは発光ダイオードを直線状に並べて配置し線状光源としたもの等であってもよい。
【００４６】
上記回転部２０は、光照射部１０を、光配向膜４０の表面に平行な面上で、光配向膜４０に対して相対的に基準位置Ｓから所定の角度で回転させる。回転部２０は、基準位置Ｓからの角度を手動もしくはモーターなどによる駆動で自動に回転することができる。所定の角度は、製品に応じた偏光特性を実現するための角度とすることができる。
【００４７】
上記調整部３０は、第一の光源列１６の光源１１ａからの光と第二の光源列１７の光源１１ｂからの光とが、光配向膜４０に対して均一に照射されるよう、第一の光源列１６に対する第二の光源列１７の位置を調整する。調整部３０は、手動もしくはモーターなどによる駆動により自動で第二の光源列１７の位置を調整することができる。
【００４８】
図６に示すように、更に、第２の実施形態においては、回転部２０は、光照射部１０を、第一の光源列１６の長手方向Ｘ１および短手方向Ｙ１を移動軸として移動させることで回転させ、調整部３０は、第二の光源列１７を、第二の光源列１７の長手方向Ｘ２を移動軸として移動させ、第一の光源列１６に対する第二の光源列１７の位置を調整することができる。
【００４９】
上記回転部２０は、光照射部１０の紙面上で右の端部および左の端部を第一の光源列１６の長手方向Ｘ１に、移動距離−ｄＸ１およびｄＸ１移動し、第一の光源列１６の短手方向Ｙ１に、移動距離−ｄＹ１およびｄＹ１移動させることで回転させることができる。ここで、回転角が０である際の投影光源間隔Ｄをｘ／２、第一の光源列１６の光源１１ａの並ぶ列と第二の光源列１７の光源１１ｂの並ぶ列との距離をｄ、各光源列に含まれる光源数をｎとすると、移動距離ｄＸ１およびｄＹ１は、式（２）および（３）のように導出することができる。
2015106015.tif 000004
【００５０】
上記回転部２０は、上述の例で、紙面上で右の端部および左の端部を移動することにより、照射部１０を回転しているが、所定の回転を生じる部位であれば、どの部位を移動して照射部１０を回転してもよい。
【００５１】
上記調整部３０は、投影光源間隔Ｄを等間隔に戻す方向へ、第二の光源列１７を長手方向Ｘ２に補正距離ｄｃだけ移動する。補正距離ｄｃは、式（４）により導出することができる。
2015106015.tif 000005
【００５２】
その他の構成、機能は第１の実施形態と同様である。
【００５３】
［第３の実施形態］
本発明に係る第３の実施形態を、図７及び図８を用いて説明する。
【００５４】
第３の実施形態は、光配向膜４０を移動させながら特定の波長領域の光を照射することにより光配向膜４０に配向処理を施すための偏光光照射装置であって、光照射部１０と、回転部２０と、調整部３０とを備える。
【００５５】
上記光配向膜４０は、液晶分子群を一定方向に配列させるための膜で、例えばポリイミド膜等とすることができる。また、光配向膜４０は、例えば、液晶用の基板等に塗布されたものであってよい。基板は、基板は、例えばコンベア、ローラー、ピン、テーブルなどの接触式ステージや非接触式の浮上搬送ステージによって光照射部１０の照射範囲に移動することができる。
【００５６】
上記光照射部１０は、複数の光源１１ａを有する第一の光源列１６、および、第一の光源列１６に連結して設けられ、複数の光源１１ｂを有する第二の光源列１７を具える。
【００５７】
上記光源１１ａ，ｂは、光配向膜４０に光線を照射するもので、例えば、棒状ランプとすることができる。具体的には、棒状ランプは、高圧水銀ランプやメタルハライドランプ等とすることができる。また、光源１１ａ，ｂは、発光ダイオードまたは発光ダイオードを直線状に並べて配置し線状光源としたもの等であってもよい。
【００５８】
上記回転部２０は、光照射部１０を、光配向膜４０の表面に平行な面上で、光配向膜４０に対して相対的に基準位置Ｓから所定の角度で回転させる。回転部２０は、基準位置Ｓからの角度を手動もしくはモーターなどによる駆動で自動に回転することができる。所定の角度は、製品に応じた偏光特性を実現するための角度とすることができる。
【００５９】
上記調整部３０は、第一の光源列１６の光源１１ａからの光と第二の光源列１７の光源１１ｂからの光とが、光配向膜４０に対して均一に照射されるよう、第一の光源列１６に対する第二の光源列１７の位置を調整する。調整部３０は、手動もしくはモーターなどによる駆動により自動で第二の光源列１７の位置を調整することができる。
【００６０】
更に、第３の実施形態においては、回転部２０は、第一の光源列１６を、光配向膜４０の表面の垂直方向を回転軸として回転させ、調整部３０は、第二の光源列１７を、第二の光源列１７を長手方向Ｘ２の両端で担持する担持部材３５により移動させ、第一の光源列１６に対する第二の光源列１７の位置を調整することができる。
【００６１】
上記担持部材３５は、図８（ｂ）に示すように、第一の光源列１６の回転角が０である場合、第二の光源列１７の担持端の距離が最短となり、図８（ａ）および（ｃ）に示すように、第一の光源列１６の回転角が製品に応じた偏光特性を実現するための角度の範囲で最大の場合、第二の光源列１７の担持端の距離が最長となるように駆動することができる。ここで、回転角が０である際の投影光源間隔Ｄをｘ／２、第一の光源列１６の光源１１ａの並ぶ列と第二の光源列１７の光源１１ｂの並ぶ列との距離をｄ、各光源列に含まれる光源数をｎとすると、最短の担持端の距離ｌ１および最長の担持端の距離ｌ２は、以下の式（５）および式（６）により導出することができる。
2015106015.tif 000006
2015106015.tif 000007
【００６２】
上記担持部材３５は、偏芯部材、カム部材またはバネ部材とすることができる。
【００６３】
その他の構成、機能については第１の実施形態と同様である。
【００６４】
上記照射部１０は、所定の回転角で回転した際、第二の光源列１７の位置を調整するため、第二の光源列１７の位置を調整しない場合の図９に示されるような光配向膜４０に対する照度分布と比較して、図１０に示されるように、光配向膜４０に対する照度分布を均一にすることができる。図９および図１０では、破線が各光源１１ａ，ｂの照度分布、実線が照射部１０の照度分布を示している。
【００６５】
また、上記光源１１ａ，ｂは、照射部１０が所定の回転角で回転した場合、光配向膜４０に対する照度分布が均一となるように各光源１１ａ，ｂの照射範囲を重複して配置されていることが望ましい。また、光源１１ａ，ｂは、照射部１０が所定の回転角で回転した場合、光配向膜４０に対する照度分布が均一となるよう、照射部１０の短手方向の長さが最適化されていることが望ましい。
【００６６】
続いて、本発明の実施形態に従う偏光光照射方法の一例について説明する。
【００６７】
本発明の偏光光照射方法は、光配向膜４０を移動させながら特定の波長領域の光を照射することにより光配向膜４０に配向処理を施すための偏光光照射方法であって、光照射ステップと、回転ステップと、調整ステップとを備えることを特徴とする。
【００６８】
光照射ステップは、複数の光源１１ａを有する第一の光源列１６、および、第一の光源列１６に連結して設けられ、複数の光源１１ｂを有する第二の光源列１７を具える。
【００６９】
回転ステップは、第一の光源列１６および第二の光源列１７を、光配向膜４０の表面に平行な面上で、光配向膜４０に対して相対的に基準位置Ｓから所定の角度で回転させる。
【００７０】
調整ステップは、第一の光源列１６の光源からの光と第二の光源列１７の光源１１ｂからの光とが、光配向膜４０に対して均一に照射されるよう、第一の光源列１６に対する第二の光源列１７の位置を調整する。
【００７１】
続いて、本発明の実施形態に従う偏光光照射プログラムの一例について説明する。
【００７２】
本発明の偏光光照射プログラムは、光配向膜４０を移動させながら特定の波長領域の光を照射することにより光配向膜４０に配向処理を施すための偏光光照射プログラムであって、コンピュータに、回転機能と、調整機能とを実現させることを特徴とする。
【００７３】
回転機能では、複数の光源１１ａ，ｂを有する第一の光源列１６および第二の光源列１７を、光配向膜４０の表面に平行な面上で、光配向膜４０に対して相対的に基準位置Ｓから所定の角度で回転させる。
【００７４】
調整機能では、第一の光源列１６の光源１１ａからの光と第二の光源列１７の光源１１ｂからの光とが、光配向膜４０に対して均一に照射されるよう、第一の光源列１６に対する第二の光源列１７の位置を調整する。
【００７５】
以上、本発明の偏光光照射装置、偏光光照射方法および偏光光照射プログラムについて詳細に説明したが、本発明は、上記実施形態に限定されるものではなく、本発明の要旨を逸脱しない範囲において、各種の改良や変更を行ってもよい。
【符号の説明】
【００７６】
Ａ  搬送方向
Ｂ  回転方向
Ｘ１  第一の光源列の長手方向
Ｘ２  第二の光源列の長手方向
Ｙ１  第一の光源列の短手方向
１０  光照射部
１１  光源部
１２  フィルタ
１３  偏光板
１４  保護ガラス
１６  第１光源列
１７  第２光源列
２０  回転部
３０  調整部
３５  担持部
４０  光配向膜
【図１】
2015106015.tif 000008
【図２】
2015106015.tif 000009
【図３】
2015106015.tif 000010
【図４】
2015106015.tif 000011
【図５】
2015106015.tif 000012
【図６】
2015106015.tif 000013
【図７】
2015106015.tif 000014
【図８】
2015106015.tif 000015
【図９】
2015106015.tif 000016
【図１０】
2015106015.tif 000017